(57)【要約】【課題】各操作責任者の実績を詳細に管理するか簡略的に管理するかを容易に切り替えられるようにする。【解決手段】責任者コード別に商品販売データを集計する仕様として、総売計，純売計，値引計等の項目別に集計する詳細仕様と、前記詳細仕様の各項目の中から選定した一部の項目のみを集計する簡略仕様とを有する。また、詳細仕様と簡略仕様のいずれか一方を選択する集計仕様選択手段を設ける。そして、詳細仕様が選択された場合には、サインオン宣言のあった責任者コードに対して割当てられたメモリエリアに商品販売データを項目別に区分して集計し、簡略仕様が選択された場合には、当該責任者コードに対して割当てられたメモリエリアに商品販売データの該当項目データを集計する。【選択図】    図７
2004348643.tif 000002
【特許請求の範囲】
【請求項１】
各操作責任者毎に設定された責任者コードの入力によりサインオンが宣言されると商品登録業務を可能とし、入力された商品情報に基づいて商品販売データを処理するとともにサインオン宣言のあった責任者コード別に前記商品販売データを集計する商品販売データ処理装置において、
総売計，純売計，値引計等の項目別に商品販売データを集計する詳細仕様集計手段と、
前記詳細仕様の各項目の中から選定した一部の項目に関して商品販売データを集計する簡略仕様集計手段と、
前記責任者コード別の商品販売データ集計処理を前記詳細仕様集計手段により行うか前記簡略仕様集計手段により行うかを選択する集計仕様選択手段と、
この集計仕様選択手段により前記詳細仕様集計手段によるデータ集計処理が選択された場合には、サインオン宣言のあった責任者コードに対して割当てられたメモリエリアに前記商品販売データを項目別に区分して集計し、前記簡略仕様集計手段によるデータ集計処理が選択された場合には、当該責任者コードに対して割当てられたメモリエリアに前記商品販売データの該当項目データを集計する集計処理制御手段と、
を具備したことを特徴とする商品販売データ処理装置。
【請求項２】
各操作責任者毎の責任者コードがプリセットされたワンタッチキーにより責任者コードを入力するキー入力手段と、
数値データを置数する置数キーにより責任者コードを置数して入力する置数入力手段と、
前記サインオン宣言のための責任者コード入力を前記キー入力手段により行うか前記置数入力手段により行うかを選択する入力仕様選択手段と、
この入力仕様選択手段により前記キー入力手段による責任者コード入力仕様が選択された場合には、前記ワンタッチキーにより入力された責任者コードをサインオン宣言のあった操作責任者の責任者コードとして処理し、前記置数入力手段による責任者コード入力仕様が選択された場合には、前記置数キーにより置数された責任者コードをサインオン宣言のあった操作責任者の責任者コードとして処理するサインオン処理制御手段と、
前記入力仕様選択手段により前記置数入力手段による責任者コード入力仕様が選択されるとともに、前記集計仕様選択手段により前記詳細仕様集計手段による商品販売データ集計処理が選択されるのを禁止する選択禁止手段と、
をさらに具備したことを特徴とする請求項１記載の商品販売データ処理装置。
【請求項３】
各操作責任者毎の責任者コードがプリセットされたワンタッチキーによりサインオン宣言のための責任者コードを入力するキー入力手段と、
責任者コードを置数することにより前記サインオン宣言のための責任者コードを入力する置数入力手段と、
前記サインオン宣言のための責任者コード入力仕様として、前記集計仕様選択手段により前記詳細仕様集計手段による商品販売データ集計処理が選択されたときには前記キー入力手段を選択し、前記簡略仕様集計手段による商品販売データ集計処理が選択されたときには前記置数入力手段を選択する入力仕様連動設定手段と、
この入力仕様連動設定手段により前記キー入力手段による責任者コード入力仕様が選択された場合には、前記ワンタッチキーにより入力された責任者コードをサインオン宣言のあった操作責任者の責任者コードとして処理し、前記置数入力手段による責任者コード入力仕様が選択された場合には、前記置数キーにより置数された責任者コードをサインオン宣言のあった操作責任者の責任者コードとして処理するサインオン処理制御手段と、
をさらに具備したことを特徴とする請求項１記載の商品販売データ処理装置。
【発明の詳細な説明】
【０００１】
【発明の属する技術分野】
本発明は、キャッシャと称される操作責任者の業務実績を管理可能な電子式キャッシュレジスタ等の商品販売データ処理装置に関する。
【０００２】
【従来の技術】
一般に、電子式キャッシュレジスタのメモリには、操作責任者として指定された各キャッシャの身分証明コード、いわゆる責任者コードを記憶する責任者設定テーブルが設けられている。そして、商品登録操作が禁止されているサインオフ状態において、責任者コードの入力によりサインオンが宣言されると、電子式キャッシュレジスタの制御部は、その入力された責任者コードが責任者設定テーブルに設定されているか否かを確認し、設定されていることを確認したならば商品登録操作を可能とする。そして、商品販売データが入力されると、その商品販売データをサインオン宣言のあった責任者コード別に集計する。この集計結果により、各操作責任者毎に業務実績等を管理できるようになっている。
【０００３】
従来は、各操作責任者毎に総売計，純売計，外税計，値引計等の詳細な項目に区分して商品販売データを集計する詳細集計タイプの電子式キャッシュレジスタと（例えば、特許文献１参照）、総売計だけを操作責任者別に集計する簡略集計タイプの電子式キャッシュレジスタとがあった（例えば、特許文献２参照）。
【０００４】
【特許文献１】
特開平４−２３９３９８号公報
【０００５】
【特許文献２】
特開昭６２−１０９５号公報
【０００６】
【発明が解決しようとする課題】
しかしながら、詳細集計タイプの電子式キャッシュレジスタにおいては、各操作責任者毎に詳細な業務実績を管理できるという利点があるものの、１操作責任者のデータ集計に要するメモリの容量が大きいため、操作責任者の人数が増えるとメモリ容量が増加し、メモリを増設しなければ対応できなくなるという欠点があった。他方、簡略集計タイプの電子式キャッシュレジスタにおいては、操作責任者の増加に対して殆どメモリの増設が必要ないものの、詳細な業務実績を管理できないという欠点があった。
【０００７】
本発明はこのような事情に基づいてなされたものであり、その目的とするところは、各操作責任者の実績を詳細に管理するか簡略的に管理するかを容易に切り替えることができ、実用性を高めることができる商品販売データ処理装置を提供しようとするものである。
【０００８】
【課題を解決するための手段】
本発明は、各操作責任者毎に設定された責任者コードの入力によりサインオンが宣言されると商品登録業務を可能とし、入力された商品情報に基づいて商品販売データを処理するとともにサインオン宣言のあった責任者コード別に商品販売データを集計する商品販売データ処理装置、例えば、電子式キャッシュレジスタにおいて、責任者コード別に商品販売データを集計する仕様として、総売計，純売計，値引計等の項目別に集計する詳細仕様と、前記詳細仕様の各項目の中から選定した一部の項目、例えば総売計に関して集計する簡略仕様とを有する。そして、詳細仕様と簡略仕様のいずれか一方を選択する集計仕様選択手段を設け、詳細仕様が選択された場合には、サインオン宣言のあった責任者コードに対して割当てられたメモリエリアに商品販売データを項目別に区分して集計し、簡略仕様が選択された場合には、当該責任者コードに対して割当てられたメモリエリアに商品販売データの該当項目データを集計するようにしたものである。
【０００９】
【発明の実施の形態】
以下、本発明の実施の形態を図面を用いて説明する。
なお、この実施の形態は、本発明を電子式キャッシュレジスタに適用した場合である。
【００１０】
図１は本実施の形態における電子式キャッシュレジスタの要部構成を示すブロック図であり、この電子式キャッシュレジスタは、制御部本体としてＣＰＵ（Ｃｅｎｔｒａｌ  Ｐｒｏｃｅｓｓｉｎｇ  Ｕｎｉｔ）１を設けている。また、プログラム等の固定的データを予め格納したＲＯＭ（Ｒｅａｄ  Ｏｎｌｙ  Ｍｅｍｏｒｙ）３、及び、商品販売データ等の可変的データを格納するための各種メモリエリアが形成されるＲＡＭ（Ｒａｎｄｏｍ  Ａｃｃｅｓｓ  Ｍｅｍｏｒｙ）４の各記憶部と、現在の日付及び時刻を計時する時計部５と、各種信号を入出力するＩ／Ｏポート６と、キーボードコントローラ７、第１及び第２の表示コントローラ８，９、プリンタコントローラ１０、スキャナコントローラ１１等の各入出力機器コントローラとを設けている。そしてＣＰＵ１と、各記憶部３，４、時計部５、Ｉ／Ｏポート６及び各入出力機器コントローラ７〜１１とを、アドレスバス，データバス等のバスライン２によって接続している。
【００１１】
キーボードコントローラ７にはキーボード１２を接続している。キーボード１２は、図３に示すように、「０」〜「９」の数値を入力するための置数キーＫ１や、各商品を分類する部門コードがそれぞれプリセットされた複数個のプリセット部門キーＫ２の他、小計キーＫ３、掛計キーＫ４、信計キーＫ５、現計キーＫ６、クリアキーＫ７，責任者キーＫ８、取消キーＫ９、乗算キーＫ１０等の各種ファンクションキー、及びそれぞれ異なる責任者コードがプリセットされる１０個のワンタッチキーＫ１１を配設したものである。因みに、現計キーＫ６は、商品売買取引の決済を現金で処理することを宣言する締めキーとして機能し、信計キーＫ５は、クレジットで処理することを宣言する締めキーとして機能し、掛計キーＫ４は掛売で処理することを宣言する締めキーとして機能する。
【００１２】
第１の表示コントローラ８にはオペレータ用表示器１３を接続しており、第２の表示コントローラ９には客用表示器１４を接続している。オペレータ用表示器１３は、商品販売データや商品売買取引の決済データ等を電子式キャッシュレジスタの操作者であるキャッシャに対して表示するものであり、客用表示器１４は、同様なデータを買物客に対して表示するものである。
【００１３】
プリンタコントローラ１０にはレシート・ジャーナルプリンタ１５を接続している。レシート・ジャーナルプリンタ１５は、商品売買取引で処理された商品の明細データ等をレシート用紙及びジャーナル用紙に印字し、レシートを発行するとともにジャーナルを記録するものである。
【００１４】
スキャナコントローラ１１にはバーコードスキャナ１６を接続している。バーコードスキャナ１６は、商品に付されたバーコード等を光学的に読取るものである。
【００１５】
Ｉ／Ｏポート６にはモードスイッチ１７とドロワ１８を接続している。ドロワ１８は、現金等を収容するためのもので、Ｉ／Ｏポート６から出力される駆動信号により自動的に開放動作する。モードスイッチ１７は、図２に示すように、「登録」，「点検」，「精算」，「設定」等の各種業務モードを選択するためのスイッチで、選択されている業務モードに対応した信号がＩ／Ｏポート６に入力されるようになっている。
【００１６】
因みに、「登録」とは、キーボード１２やスキャナ１６を介して入力された商品コード等の商品情報に基づいて商品販売データをＲＡＭ４の売上メモリに登録処理する業務のモードである。「点検」とは、登録業務において前記売上メモリに登録処理されたデータを集計し、その集計結果を示すデータを売上点検レポートとして出力する業務のモードである。「精算」とは、点検業務と同様に売上メモリに登録処理されたデータの集計結果を示すデータを売上精算レポートとして出力した後、売上メモリをクリアする業務のモードである。「設定」とは、登録，点検，精算等の各種業務を実行する上で必要なデータを予めＲＡＭ４に設定する業務のモードである。
【００１７】
かかる構成の電子式キャッシュレジスタは、サインオン宣言のための責任者コード入力仕様として、各操作責任者毎の責任者コードがプリセットされたワンタッチキーＫ１１を入力するキー入力仕様と、置数キーＫ１を操作して責任者コードを置数入力する置数入力仕様とを有している。また、責任者コード別に商品販売データを集計する責任者別データ集計仕様として、総売計，純売計，値引計等の項目別に集計する詳細仕様と、上記詳細仕様の各項目の中から選定した一部（１または複数）の項目を集計する簡略仕様とを有している。
【００１８】
すなわち電子式キャッシュレジスタは、図４に示すようにＲＡＭ４に、責任者設定テーブル４１の領域（アドレスａｄｄＡ〜ａｄｄＢ）と、責任者キーテーブル４２の領域（アドレスａｄｄＣ〜ａｄｄＤ）と、責任者別日計メモリ４３の領域（アドレスａｄｄＥ〜ａｄｄＦ）と、システムオプションメモリ４４の領域（アドレスａｄｄＧ〜ａｄｄＨ）とを確保している。
【００１９】
そして、第１の領域（アドレスａｄｄＡ〜ａｄｄＢ）には、図５に示すように、責任者コード，責任者名，詳細仕様日計アドレス及び簡略仕様日計アドレスの責任者データを複数（本実施の形態では９９）設定可能な責任者設定テーブル４１を形成している。ここで、詳細仕様日計アドレスは、責任者別データ集計仕様として詳細仕様が選択されているときに対応する責任者コードの操作責任者（キャッシャ）が処理した商品販売データを集計する日計メモリ４３の先頭アドレスである。簡略仕様日計アドレスは、責任者別データ集計仕様として簡略仕様が選択されているときに対応する責任者コードの操作責任者（キャッシャ）が処理した商品販売データを集計する日計メモリ４３の先頭アドレスである。
【００２０】
なお、本実施の形態では、説明の便宜上、詳細仕様のときの集計項目を１０項目（総売計，値引計，純売計，外税計，取消計等）とし、簡略仕様のときの集計項目を１項目（総売計）とする。そして、責任者別日計メモリ４３では１つのアドレス領域で１項目のデータを集計するものとする。
【００２１】
第２の領域（アドレスａｄｄＣ〜ａｄｄＤ）には、図６に示すように、１０個のワンタッチキーＫ１１のキーコードに対応して、それぞれ責任者コードを設定可能な責任者キーテーブル４２を形成している。
【００２２】
第３の領域（アドレスａｄｄＥ〜ａｄｄＦ）には、図７に示すように、１つのアドレス領域にて１つの項目の点数（回数，客数を含む）と金額を集計可能な責任者別日計メモリ４３が形成されている。同図において、符号４３Ａは責任者別データ集計仕様として詳細仕様が選択されているときの責任者別日計メモリを示しており、符号４３Ｂは簡略仕様が選択されているときの責任者別日計メモリを示している。
【００２３】
第４の領域（アドレスａｄｄＧ〜ａｄｄＨ）には、図８に示すように、責任者日計仕様フラグＯＰＦ１，責任者入力仕様フラグＯＰＦ２等の種々のシステムオプションフラグを記憶したシステムオプションメモリ４４が形成されている。なお、この実施の形態では、責任者日計仕様フラグＯＰＦ１は、責任者別データ集計仕様として詳細仕様が選択されているときには“０”、簡略仕様が選択されているときには“１”となり、責任者入力仕様フラグＯＰＦ２は、責任者コード入力仕様としてキー入力仕様が選択されているときには“０”、置数入力仕様が選択されているときには“１”となる。
【００２４】
図９は、ＣＰＵ１が実行する責任者日計仕様設定処理の要部を示す流れ図である。この処理は、モードスイッチ１７により「設定」モードが選択されている状態で、置数キーＫ１により所定のコード「ＮＮ」が置数され、続いて乗算キーＫ１０が入力されると実行される。
【００２５】
すなわちＣＰＵ１は、ＳＴ１〜ＳＴ３として置数キーＫ１にて「０」が置数されるか、「１」が置数されるのを待機する（集計仕様選択手段）。そして、「０」が置数された場合には、責任者データ集計仕様として詳細仕様が選択されたので、システムオプションメモリ４４の責任者日計仕様フラグＯＰＦ１を“０”とする。また、これに連動して責任者入力仕様フラグＯＰＦ２も“０”として、責任者コード入力仕様としてキー入力仕様を設定する（入力仕様連動設定手段）。
【００２６】
これに対し、「１」が置数された場合には、責任者データ集計仕様として簡略仕様が選択されたので、システムオプションメモリ４４の責任者日計仕様フラグＯＰＦ１を“１”とする。また、これに連動して責任者入力仕様フラグＯＰＦ２も“１”として、責任者コード入力仕様として置数入力仕様を設定する（入力仕様連動設定手段）。
【００２７】
しかる後、ＣＰＵ１は、ＳＴ４として責任者データ集計仕様と責任者コード入力仕様の設定内容をオペレータ用表示器１３に表示する。すなわち、「０」が置数された場合には、責任者データ集計仕様として詳細仕様が設定され、責任者コード入力仕様としてキー入力仕様が設定されたことを表示する。一方、「１」が置数された場合には、責任者データ集計仕様として簡略仕様が設定され、責任者コード入力仕様として置数入力仕様が設定されたことを表示する。
【００２８】
次いで、ＳＴ５として取消キーＫ９が入力されたことを検知した場合には、ＣＰＵ１はＳＴ１の処理に戻り、置数キーＫ１にて「０」または「１」が置数されるのを再度待機する。そして、「０」が置数された場合には、責任者日計仕様フラグＯＰＦ１と責任者入力仕様フラグＯＰＦ２を“０”とし、かつその設定内容をオペレータ用表示器１３に表示出力し、「１」が置数された場合には、責任者日計仕様フラグＯＰＦ１と責任者入力仕様フラグＯＰＦ２を“１”とし、かつその設定内容をオペレータ用表示器１３に表示出力する。
【００２９】
ＳＴ６として現計キーＫ６が入力された場合には、ＣＰＵ１は、責任者データ集計仕様及び責任者コード入力仕様の設定内容をプリンタ１５によりレシート用紙及びジャーナル用紙に印字する。そして、ロングレシートを行ってレシート用紙を排出したならば、この処理を終了するものとなっている。
【００３０】
図１０は、ＣＰＵ１が実行するサインオン処理の要部を示す流れ図である。この処理は、商品登録操作が禁止されているサインオフ状態（サインオンフラグが“０”にリセットされている状態）の「登録」モードにおいて実行される。
【００３１】
すなわちＣＰＵ１は、ＳＴ１１として責任者入力仕様フラグＯＰＦ２を調べる。そして、責任者入力仕様フラグＯＰＦ２が“０”、つまり責任者コード入力仕様としてキー入力仕様が設定されていることを確認した場合には、ＣＰＵ１は、ＳＴ１２としてワンタッチキーＫ１１が操作されるのを待機する。そして、いずれか１つのワンタッチキーＫ１１が操作されたことを検知したならば（キー入力手段）、ＣＰＵ１は、責任者キーテーブル４２を検索して、操作されたワンタッチキーＫ１１のキーコードに対応して設定されている責任者コードを取得する。次いで、責任者設定テーブル４１を検索して当該責任者コードに対応して設定されている責任者名を取得する。そして、この責任者コードと責任者名とをＲＡＭ４のサインオンテーブルにセットし、サインオンフラグを“１”にセットして商品登録操作を許可したならば、この処理を終了する。
【００３２】
なお、責任者キーテーブル４２を検索した結果、操作キーのキーコードに対応して責任者コードが設定されていなかった場合には、サインオン宣言はエラーとなる。
【００３３】
一方、責任者入力仕様フラグＯＰＦ２が“１”、つまり責任者コード入力仕様として置数入力仕様が設定されていることを確認した場合には、ＣＰＵ１は、ＳＴ１３として置数キーＫ１によって責任者コードが入力されるのを待機する。そして、責任者コードが置数され、責任者キーＫ８が操作されたことを検知すると（置数入力手段）、責任者設定テーブル４１を検索して置数された責任者コードに対応して設定されている責任者名を取得する。そして、この責任者コードと責任者名とをＲＡＭ４のサインオンテーブルにセットし、サインオンフラグを“１”にセットして、この処理を終了する。これにより、商品登録操作が許可される。
【００３４】
なお、責任者設定テーブル４１を検索した結果、置数された責任者コードが設定されていなかった場合には、サインオン宣言はエラーとなる。
ここに、ＣＰＵ１は、サインオン処理制御手段を構成する。
【００３５】
図１１は、ＣＰＵ１が実行する責任者日計処理の要部を示す流れ図である。この処理は、商品登録操作が許可されているサインオン状態（サインオンフラグが“１”にセットされている状態）の「登録」モードにおいて、現計キーＫ６，掛計キーＫ４，信計キーＫ５等の締めキーが入力されると実行される。
【００３６】
すなわちＣＰＵ１は、ＳＴ２１として商品売買取引の締めが成立したか否かを判断する。例えば現計キーＫ６とともに入力された支払金額のデータが商品販売取引の請求金額（税込合計金額）以上であり、登録締めが成立すると判断した場合には、ＣＰＵ１は、登録締め処理を実行する。例えば現金支払いの場合には、その支払金額から請求金額を減算して釣銭額を算出し、オペレータ用表示器１３及び客用表示器１４に表示させる。また、プリンタ１５によりレシート印字を行ってレシートを発行する。
【００３７】
その後、ＣＰＵ１は、ＳＴ２２として責任者日計仕様フラグＯＰＦ１を調べる。ここで、責任者日計仕様フラグＯＰＦ１が“０”、つまり責任者データ集計仕様として詳細仕様が設定されていることを確認した場合には、ＣＰＵ１は、サインオンテーブルに設定されている責任者コードを読み出し、責任者設定テーブル４１を検索して、当該責任者コードに対応する詳細仕様日計アドレスを取得する。そして、責任者別日計メモリ４３Ａの該当アドレスから、当該商品販売取引で売上登録された各商品販売データを項目別に加算処理する。すなわち、各商品販売データの合計点数及び税込合計金額を該当アドレスの総売計エリアに加算する。また、各商品販売データに値引データが含まれる場合には、その値引点数と値引金額とをその次のアドレスの値引計エリアに加算する。また、各商品販売データの合計点数と税抜き合計金額とをその次のアドレスの純売計エリアに加算する。以後、同様にして全１０項目についてそれぞれ該当アドレスのエリアにデータを加算処理したならば（詳細仕様集計手段）、この処理を終了する。
【００３８】
一方、責任者日計仕様フラグＯＰＦ１が“１”、つまり責任者データ集計仕様として簡略仕様が設定されていることを確認した場合には、ＣＰＵ１は、サインオンテーブルに設定されている責任者コードを読み出し、責任者設定テーブル４１を検索して、当該責任者コードに対応する簡略仕様日計アドレスを取得する。そして、責任者別日計メモリ４３Ｂの該当アドレスから、当該商品販売取引で売上登録された各商品販売データの簡略項目（本実施の形態では総売計）に相当するデータを加算処理する。すなわち、各商品販売データの合計点数及び税込合計金額を該当アドレスの総売計エリアに加算したならば（簡略仕様集計手段）、この処理を終了する。
ここに、ＣＰＵ１は、集計処理制御手段を構成する。
【００３９】
このように本実施の形態の電子式キャッシュレジスタにおいては、責任者別データ集計仕様として詳細仕様か簡略仕様のどちらか一方を任意に選択することができる。そして、詳細仕様を選択した場合には、ＲＡＭ４の第３の領域（アドレスａｄｄＥ〜ａｄｄＦ）に形成される責任者別日計メモリ４３Ａ上で、各操作責任者毎に、登録処理された各商品の販売データが総売計，純売計，値引計等の項目別に集計される。また、簡略仕様を選択した場合には、同領域（アドレスａｄｄＥ〜ａｄｄＦ）に形成される責任者別日計メモリ４３Ｂ上で、各操作責任者毎に総売計のみが集計される。
【００４０】
したがって、管理すべき操作責任者が少ない場合には、責任者別データ集計仕様として詳細仕様を選択することによって、限られたメモリ領域内で各操作責任者の詳細な業務実績を管理することができる。また、管理すべき操作責任者が増加した場合には、責任者別データ集計仕様として簡略仕様を選択することによって、メモリ領域を増やすことなく各操作責任者の業務実績管理を継続して行うことができる。
【００４１】
また、本実施の形態では、責任者別データ集計仕様として詳細仕様を選択すると、それに連動して責任者コード入力仕様としてキー入力仕様が設定され、簡略仕様を選択するとそれに連動して置数入力仕様が設定されるようになっている。キー入力仕様は、キーボード１２に配設され１０個のワンタッチキーＫ１１によって責任者コードを入力する仕様なので、入力可能な責任者コードは１０種類に制限される。これに対し、置数入力仕様は、責任者コードを置数キーＫ１で置数入力するので、例えば責任者コードを２桁とすると、「０１」から「９９」までの９９種類まで入力可能である。
【００４２】
したがって、詳細仕様選択時にはキー入力仕様が設定されることによって、管理すべき操作責任者の人数をワンタッチキーＫ１１の数の範囲内に制限することができる。逆に、簡略仕様選択時には置数入力仕様が設定されることによって、ワンタッチキーＫ１１の数以上の人数の操作責任者を管理できるようになる。
【００４３】
なお、前記実施の形態では、責任者別データ集計仕様として詳細仕様を選択するとそれに連動して責任者コード入力仕様としてキー入力仕様を設定し、簡略仕様を選択するとそれに連動して置数入力仕様を設定するようにしたが、責任者コード入力仕様としてキー入力仕様を選択するとそれに連動して責任者別データ集計仕様として詳細仕様を設定し、置数入力仕様を選択するとそれに連動して詳細仕様を設定するようにしてもよい。
【００４４】
また、責任者別データ集計仕様の選択と責任者コード入力仕様の選択とが必ずしも連動していなくてもよい。連動しない場合の責任者日計仕様設定処理と責任者入力仕様設定処理の要部を図１２，図１３の流れ図に示す。
【００４５】
すなわちＣＰＵ１は、モードスイッチ１７により「設定」モードが選択されている状態で、置数キーＫ１により所定のコード「ＮＮ」が置数され、続いて乗算キーＫ１０が入力されると、図１２の責任者日計仕様設定処理を実行する。そして、「１」が置数された場合には、責任者データ集計仕様として簡略仕様が選択されたので、システムオプションメモリ４４の責任者日計仕様フラグＯＰＦ１を“１”とする。このとき、責任者入力仕様フラグＯＰＦ２は管理しない。
【００４６】
一方、「０」が置数された場合には、責任者データ集計仕様として詳細仕様が選択されたので、ＣＰＵ１は、ＳＴ３１として責任者入力仕様フラグＯＰＦ２を調べる。ここで、責任者入力仕様フラグＯＰＦ２が“０”、つまりキー入力仕様が設定されていた場合には、責任者日計仕様フラグＯＰＦ１を“０”とする。
【００４７】
その後は、前記実施の形態と同様に責任者データ集計仕様の設定内容を表示し、現計キーＫ６が操作されると設定内容をレシート用紙及びジャーナル用紙に印字し、ロングレシートを行って、この処理を終了する。
【００４８】
これに対し、責任者データ集計仕様として詳細仕様が選択された場合において、責任者入力仕様フラグＯＰＦ２が“１”、つまり置数入力仕様が設定されていた場合には、ＣＰＵ１は、この処理をエラーとする。すなわち、置数入力仕様が設定されている状態で詳細仕様が選択されるのを禁止する（選択禁止手段）。
【００４９】
同様に、ＣＰＵ１は、モードスイッチ１７により「設定」モードが選択されている状態で、置数キーＫ１により所定のコード「ＭＭ」が置数され、続いて乗算キーＫ１０が入力されると、図１３の責任者入力仕様設定処理を実行する。そして、「０」が置数された場合には、責任者コード入力仕様としてキー入力仕様が選択されたので、システムオプションメモリ４４の責任者入力仕様フラグＯＰＦ２を“０”とする。このとき、責任者日計仕様フラグＯＰＦ１は管理しない。
【００５０】
一方、「１」が置数された場合には、責任者コード集計仕様として置数入力仕様が選択されたので、ＣＰＵ１は、ＳＴ４１として責任者日計仕様フラグＯＰＦ１を調べる。ここで、責任者日計仕様フラグＯＰＦ１が“１”、つまり簡略仕様が設定されていた場合には、責任者入力仕様フラグＯＰＦ２を“１”とする。
【００５１】
その後は、責任者コード集計仕様の設定内容を表示し、現計キーＫ６が操作されると設定内容をレシート用紙及びジャーナル用紙に印字し、ロングレシートを行って、この処理を終了する。
【００５２】
これに対し、責任者コード入力仕様として置数入力仕様が選択された場合において、責任者日計仕様フラグＯＰＦ１が“０”、つまり詳細仕様が設定されていた場合には、ＣＰＵ１は、この処理をエラーとする。すなわち、詳細仕様が設定されている状態で置数入力仕様が選択されるのを禁止する（選択禁止手段）。
【００５３】
このように、置数入力仕様が設定されている状態では詳細仕様が選択されるのを禁止する、あるいは詳細仕様が設定されている状態では置数入力仕様が選択されるのを禁止することによって、前記実施の形態と同様な作用効果を奏することができる。
【００５４】
また、前記実施の形態では、簡略仕様選択時には操作責任者別に総売計を集計したが、簡略仕様選択時に集計する項目は総売計に限定されるものではない。例えば、取消計やマイナス登録のデータを集計してもよい。また、これらのデータ項目の２つ以上を選択的に組み合わせて集計するものであってもよい。
【００５５】
この他、本発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成することもできる。また、実施形態に示される全構成要素からいくつかの構成要素を削除してもよい。更に、異なる実施形態にわたる構成要素を適宜組み合わせてもよい。
【００５６】
【発明の効果】
以上詳述したように本発明によれば、各操作責任者の実績を詳細に管理するか簡略的に管理するかを容易に切り替えることができ、実用性を高めることができる商品販売データ処理装置を提供できる。
【図面の簡単な説明】
【図１】本発明の一実施の形態である電子式キャッシュレジスタの要部構成を示すブロック図。
【図２】同電子式キャッシュレジスタが有するモードスイッチの構成を示す模式図。
【図３】同電子式キャッシュレジスタが有するキーボードの主要なキー配置構成を示す模式図。
【図４】同電子式キャッシュレジスタのＲＡＭに形成される主要なメモリ領域を示す模式図。
【図５】図４に示す責任者設定テーブルのデータ構造を具体的に示す模式図。
【図６】図４に示す責任者キーテーブルのデータ構造を具体的に示す模式図。
【図７】図４に示す責任者別日計メモリのデータ構造を具体的に示す模式図。
【図８】図４に示すシステムオプションメモリのデータ構造を具体的に示す模式図。
【図９】同電子式キャッシュレジスタのＣＰＵが実行する責任者日計仕様設定処理の要部を示す流れ図。
【図１０】同電子式キャッシュレジスタのＣＰＵが実行するサインオン処理の要部を示す流れ図。
【図１１】同電子式キャッシュレジスタのＣＰＵが実行する責任者日計処理の要部を示す流れ図。
【図１２】本発明の他の実施形態において電子式キャッシュレジスタのＣＰＵが実行する責任者日計仕様設定処理の要部を示す流れ図。
【図１３】同他の実施形態において電子式キャッシュレジスタのＣＰＵが実行する責任者入力仕様設定処理の要部を示す流れ図。
【符号の説明】
１…ＣＰＵ、３…ＲＯＭ、４…ＲＡＭ、５…時計部、１２…キーボード、１５…レシート・ジャーナルプリンタ、１７…モードスイッチ、４１…責任者設定テーブル、４２…責任者キーテーブル、４３…責任者別日計メモリ、４４…システムオプションメモリ。
【図１】
2004348643.tif 000003
【図２】
2004348643.tif 000004
【図３】
2004348643.tif 000005
【図４】
2004348643.tif 000006
【図５】
2004348643.tif 000007
【図６】
2004348643.tif 000008
【図７】
2004348643.tif 000009
【図８】
2004348643.tif 000010
【図９】
2004348643.tif 000011
【図１０】
2004348643.tif 000012
【図１１】
2004348643.tif 000013
【図１２】
2004348643.tif 000014
【図１３】
2004348643.tif 000015